(57)【要約】      （修正有）【課題】挺子原理だけで蓋を簡便に開けることができ、蓋を開ける時、汁などが跳ね上がることを防止した密閉容器を提供する。【解決手段】密閉容器は、係止段と折り曲げられたフランジを有する容器本体、前記フランジに連結され、開閉板と段差部２８を有する回動取っ手２９及び係止突起３２と下向き折曲されたフランジと蓋延長部を有する蓋３０を備えて構成され、前記蓋が前記容器本体と結合された状態で、挺子原理を用いて前記回動取っ手を上側に向けて回動させるだけで前記開閉板が前記蓋延長部を持ち上げると共に、前記段差部は前記蓋延長部が外側に向けて広がることを防止して、前記係止突起が前記係止段から外れるようにすることによって、前記蓋が前記容器本体から開くことができるようにした構成をする。【選択図】図３
2018193132.tif 000002
【特許請求の範囲】
【請求項１】
上部に開口が形成された容器本体２０と、前記容器本体２０の前記開口を開閉する蓋３０と、前記容器本体２０と前記蓋３０のうちのいずれか１つと、ヒンジで連結された回動取っ手２９を備えた密閉容器１０であって、
内壁２０ａの上部内壁面２０ｂに沿って形成された係止段２４、前記内壁２０ａの上部から外側に延びて、延びた部分で下向きにするように形成されて内部に凹溝２２を形成するフランジ２３を備える前記容器本体２０と、
前記フランジ２３に連結され、開閉板２７と段差部２８を有し、上下に回動可能な前記回動取っ手２９と、
内壁３１ｂの内壁面３１ａに沿って形成された係止突起３２、前記内壁３１ｂの周りから外側に延長して前記フランジ２３の上部で前記フランジ２３に下向き結合される下向き折曲されたフランジ３０ａ、前記フランジ３０ａに形成された蓋延長部３３を有する前記蓋３０とを含んで構成され、
前記蓋延長部３３は前記蓋３０が前記容器本体２０に結合された状態で、または前記蓋３０が前記容器本体２０に結合された状態で、前記回動取っ手２９が上方に回動する時、前記開閉板２７と前記段差部２８に接触し、
前記蓋３０が前記容器本体２０に結合された状態で、挺子原理を用いて前記回動取っ手２９を上方に回動させるだけで前記開閉板２７が前記蓋延長部３３を持ち上げると共に、前記段差部２８は前記段差部２８に接触した前記蓋延長部３３が外側に向けて広がることを防止して、前記係止突起３２が前記係止段２４から外れるようにすることによって、前記蓋３０が前記容器本体２０から開くことができるようにしたことを特徴とする、密閉容器。
【請求項２】
前記段差部２８は、前記開閉板２７の上端下部から外側に向けて延びるように形成されたことを特徴とする、請求項１に記載の密閉容器。
【請求項３】
前記係止段２４と前記係止突起３２は閉ループ形状に形成されたことを特徴とする、請求項１に記載の密閉容器。
【請求項４】
前記回動取っ手２９は、フィルムヒンジ２６を通じて前記フランジ２３に回動可能に連結されたことを特徴とする、請求項１に記載の密閉容器。
【請求項５】
前記フランジ２３と前記回動取っ手２９との間に前記フランジ２３の一部分から外側に延びる延長段２５が形成されたことを特徴とする、請求項１に記載の密閉容器。
【請求項６】
前記回動取っ手２９は、前記延長段２５に連結されたフィルムヒンジ２６を通じて前記フランジ２３に回動可能に連結されたことを特徴とする、請求項５に記載の密閉容器。
【請求項７】
前記係止突起３２は、
前記蓋３０の前記内壁面３１ａで前記係止段２４に向けるように突出形成された突出部５１を有する閉ループ形状の軟質樹脂のパッキング部材５０を形成し、かつ前記パッキング部材５０を前記パッキング部材５０と異種材質で形成された前記蓋３０の前記内壁面３１ａに二重射出（インサート射出）を通じて固着させて前記突出部５１が前記係止段２４の直下部にかかることができるようにしたことを特徴とする、請求項１に記載の密閉容器。
【請求項８】
前記突出部５１は、彎曲突出形または湾曲突出したくさび形の形状に形成されたことを特徴とする、請求項７に記載の密閉容器。
【請求項９】
前記軟質樹脂は、シリコンであることを特徴とする、請求項７に記載の密閉容器。
【発明の詳細な説明】
【技術分野】
【０００１】
本発明は各種の食品を収容保管する密閉容器の改善に関し、密閉容器の蓋の開閉構造の改善に関する。
【背景技術】
【０００２】
一般に、密閉容器は容器本体と容器本体の開口を開閉する蓋を備えている。ここで、容器本体または蓋のうちのいずれか１つに気密のためのパッキング部材が設けられれば、密閉容器と称することができ、パッキング部材が設けられていなくても密閉容器または食品容器と称することができ、前記のような密閉容器または食品容器はユーザの使用用途によって各種の小品を保管する小品保管容器にも使用できる。
【０００３】
前記のような従来の密閉容器は蓋が容器本体の開口を開閉し、容器本体または蓋のうちから選択されたいずれか１つには係止溝を有する回動取っ手が設けられ、残りの１つには前記係止溝に挿入されてロック（lock）状態を維持する突起が形成されて前記係止溝と突起が結合されるものであって、蓋は容器本体の開口に覆われて閉じ状態を維持するか、または閉じ状態が解除できるように構成される。
【０００４】
一方、従来の容器の蓋を容器本体の開口から開ける時には両手を用いて蓋の周り方向の適当な個所を握って蓋を持ち上げて開ける方式と、または片手で容器本体を握って、他の片手では蓋の一側に突出形成された取っ手を握って上側に持ち上げて開ける方式の構成で、そのサイズ及び形状は多様である。
【０００５】
従来の密閉容器は蓋の四方コーナーのうちから選択されたいずれか１つのコーナーに突出した取っ手を形成するか、または蓋の両側壁に蓋を持ち上げることができる平板形状の取っ手を形成した構成を採用している。したがって、蓋を容器本体から開けようとする時には片手で容器本体を握って、他の片手では蓋の一側に形成された取っ手などを握って上側に持ち上げれば、ロック（lock）状態が堅いので、その開け力により容器本体が揺れて容器本体から食品及び汁があふれて跳ね上がる現象が発生する問題点がある。
【０００６】
特に、従来、密閉容器のサイズが大きければ大きいほど蓋の開け力による揺れによって容器本体に収容された内容物が頻繁に流出されるが、その理由は密閉容器が大きければ蓋が大きく、蓋が大きければ蓋を容器本体にロック（lock）状態を維持させる係止溝を有する回動取っ手または係止溝に挿入される係止突起の構成が大きくなって、堅いロック（lock）状態維持に伴う係止負荷が大きくなるということがその理由であり、そのために、蓋の開放時、一定の力が必要であり、比較的密閉容器をよく使用する主婦及び子供は容器本体の揺れ無しで蓋を容易に開けることができないという問題点がある。
【０００７】
一方、従来の密閉容器は容器本体と蓋のうちから選択されたいずれか１つの両側壁に形成された回動取っ手は、容器本体と蓋がロック（lock）状態を維持していない限り、回動取っ手は容器本体の両側壁から一側水平方向に向けて弾撥されて水平に突出した状態を維持するので、例えば、密閉容器を容器本体と蓋を個別分離した多数個に積層包装することを例に挙げると、多数個の容器本体のみを積層した後、その上部に多数個が積層された蓋を積層して包装すれば、容器本体の両側壁に形成された回動取っ手が弾性力により全て自ら折り畳まれず、一側に向けて突出した状態を維持するようになる。
【０００８】
このように、回動取っ手が一側に突出した状態を維持するようになれば、これらを包装する包装ケースが相対的に大きくなって包装ケースの容量が必要以上に増える短所と共に
、積層包装形状の整列状態の維持が難しいという問題点がある。
【０００９】
結果的に、前記のような従来の密閉容器をなす容器本体または蓋のうち、いずれか１つに設けられた係止溝を有する回動取っ手は、容器本体と蓋のロック（lock）状態を維持及び解除する役割をするだけであり、回動取っ手が直接蓋を容器本体から押し上げて開くことができる構成は備えていない。
【００１０】
（引用文献１：大韓民国特許庁公開特許公報出願番号第１０−２００３−００７４９４０号（公告日付２００５．０４．２９）、引用文献２：大韓民国特許庁登録実用新案公報出願番号第２０−２００３−０００８５８０号（公告日付２００３．０６．１８）、引用文献３：大韓民国特許庁登録実用新案公報出願番号第２０−２００３−００３９４６２号（公告日付２００４．０３．２４）、引用文献４：大韓民国特許庁登録実用新案公報出願番号第２０−２００４−００１５８４８号（公告日付２００４．０９．０１））
【００１１】
一方、図５は従来Ａタイプ密閉容器をなして、ロック部材がある容器本体と蓋の気密構造を示す抜粋断面図に関するものである。
【００１２】
前記図面から見ることができるように、従来の密閉容器は、容器本体１００と容器本体の開口を開閉することができる蓋１０１で備えられ、蓋１０１の周縁部１０３の内側凹溝１０４には容器本体との気密を維持するパッキング１０５が設けられて容器本体１００の周縁周り方向の段部１０６と接触するものであって、気密状態を維持するようになり、蓋１０１に設けられ、ロック部材１０７の内壁に突出した係止具１０８は容器本体１００の外側壁に突出した係止段１０９に係止されて容器本体１００と蓋１０１の結着状態を維持または解除する役割をする。
【００１３】
しかしながら、前記のような従来の密閉容器は蓋がロック部材により密閉容器の四方一部分の面でロック状態が維持されれば、ロック状態を維持する蓋の該当部位を除いて、残りの部分の蓋面は上側に持ち上げられ、したがって、容器本体内外部への空気出入が頻繁になされる短所と共に、容器本体内部に収容された食品の流体が外部に流れ出る問題点がある。そして、前記のような蓋はパッキングが蓋の内部に強制挿入される方法を取っているので、長期間使用するようになればパッキングに黴が発生して長期的にはパッキングが腐るか変形されることによって隙間が発生して、結果的に容器本体内・外部への空気出入が頻繁になされて、容器本体内部に収容された食品の流体が外部に流れ出る問題点がある。
【００１４】
一方、図６は従来のＢタイプ気密容器をなしてロック部材がある容器本体と蓋の気密構造を示す抜粋断面図に関するものである。
【００１５】
前記図面から見ることができるように、従来の密閉容器は容器本体２００と容器本体２００の開口を開閉することができる蓋２０１で備えられ、蓋２０１の周縁部２０２の内側凹溝２０３には容器本体２００との気密を維持する“∩”形状のパッキング２０８が設けられて容器本体２００の周縁周り方向の段部２０４と接触して気密状態を維持するようになり、蓋２０１に設けられたロック部材２０５に形成された孔２０６は容器本体２００の外側壁から突出した突起２０７に挿入係止されて容器本体２００と蓋２０１の結着状態を維持する役割をする。
【００１６】
しかしながら、前記のような蓋は“∩”形状のパッキングが蓋の内部に強制挿入されるか、または二重射出方式（インサート射出）により設けられた方法を取っており、容器本体の段部を気密に収容することができるようにパッキングの間隔が非常に狭いため、蓋を開けば容器本体の段部がパッキングに気密挿入された状態でパッキングの強い弾性力で容
器本体の段部をつかんでいるので、蓋が容易に開かない短所と共に、蓋が開いても蓋に加えられた開け力により容器本体が揺れて容器本体内部に収容された食品の流体が外部に流れ出る問題点がある。
【００１７】
一方、図７は従来Ｃタイプ密閉容器をなして、ロック部材がない容器本体と蓋の気密構造を示す抜粋断面図に関するものである。
【００１８】
前記図面から見ることができるように、従来の密閉容器は、容器本体３００と容器本体３００の開口を開閉することができる蓋３０１で備えられ、蓋３０１の周縁部３０２の内側には一定の高さの内壁３０３が形成されており、前記内壁３０３と隙間３０４をおいたその一側には左右弾力性を有する挟持壁３０５が設けられて容器本体３００の周縁周り方向の段部３０６の部分が隙間３０４に挿入されて挟持壁３０５に支持されるものであって、容器本体３００と蓋３０１の固定状態を維持する役割をする。
【００１９】
しかしながら、前記のような密閉容器はロック部材無しで容器本体の段部３０６の部分が蓋３０１の内壁と挟持壁との間である隙間に挿入されて容器本体と蓋の固定状態を維持するだけであり、容器本体内・外部への空気出入が頻繁になされて、容器本体内部に収容された流体が外部に流れ出る問題点がある。
【００２０】
また、図８は従来Ｄタイプ密閉容器をなしてロック部材がない容器本体と蓋の気密構造を示す抜粋断面図に関するものである。
【００２１】
前記図面から見ることができるように、従来の密閉容器は容器本体４００の上側周縁周り方向に沿って形成された枠部４０５の内壁４０２には一側に向ける係止段４０３が形成されており、蓋４０１の周縁部４１０の内側には前記容器本体４００の枠部４０５が凹入される凹入溝４０６が形成されており、前記凹入部４０６をなす蓋４０１の内壁４０７には前記係止段４０３に向かう突段４０８が形成されて蓋４０１を閉じれば突段４０８が前記係止段４０３の直下部面に接触するものであって、蓋４０１が容器本体４００から容易に離脱することを防止する役割を行う。
【００２２】
しかしながら、前記のような係止段４０３と突段４０８は蓋が容器本体から容易に離脱することを防止する役割をするだけであり、前記係止段が突段の内壁に接触して気密状態を維持できない。その理由のうちの最も大きい理由は、容器本体がポリプロピレン（ＰＰ）材質で形成されており、蓋及び蓋の内壁に形成した突段がポリプロピレン（ＰＰ）で形成されている関係で、蓋として容器本体を開閉することを長期間反復すれば係止段及び突段が摩耗して気密状態を維持できないだけでなく、蓋及び係止段が薄型のポリプロピレン（ＰＰ）で形成されている関係で、気温変化に敏感に作用して、その形状が変形されるものであって、気密状態維持は難しいので、気密容器本体内・外部への空気出入が頻繁になされて、容器本体内部に収容された食品の流体が外部に流れ出る問題点がある。
【００２３】
また、図９は従来のＥタイプ密閉容器をなして、ロック部材がない容器本体と蓋の気密構造を示す抜粋断面図に関するものである。
【００２４】
前記図面から見ることができるように、従来の密閉容器は容器本体５００と容器本体の開口を開閉することができる蓋５１０で備えられ、ここでは容器本体５００と蓋５１０のうちの１つに設けられて容器本体５００に蓋５１０を固定するロック部材のない密閉容器を示すものである。
【００２５】
前記図面から見ることができる従来の密閉容器は、容器本体５００の開口を開閉する蓋５１０の内壁５１２に軟質樹脂またはシリコンで形成されたパッキング部材５１１をポリ
プロピレン（ＰＰ）材質からなる蓋と二重射出（インサート射出）して形成している。ここで、パッキング部材５１１は蓋５１０で容器本体５００の開口を閉じる前には一側に向けて長く水平に突出しているから、蓋５１０を閉じればパッキング部材５１１が容器本体５００をなす壁体５１３に接触しながら内側に撓んで折り畳まれることによって、パッキング部材５１１が容器本体の壁体５１３に接触することによって気密を維持するようになる。
【００２６】
しかしながら、前記のような蓋に設けられたパッキング部材は、容器本体壁体に接触するための作用空間が大きいため、容器容量を減らすようになる短所と共に、蓋を閉じれば容器本体内部に蓋が下向きにしただけ容器本体内部の空気が流出して容器本体内部は弱真空状態になるので、また蓋を開けば蓋が容易に開かないで、蓋に加えられる開け力により容器本体が大きく揺れて容器本体内部に収容された食品が流出する問題点がある。したがって、これを防止するための空気出入バルブを蓋に設けなければならないという面倒さもある。
【００２７】
特に、前記のような従来の密閉容器は、蓋の周り方向に設けられたパッキング部材が必要以上に長く突出しているので、容器本体内部の流体が揺れれば容器本体内部の水の圧力によりパッキング部材の端部面と壁体との間の接触部分が浮き上がることによって隙間が発生して、その隙間を通じて流体が流れ出て気密維持できないという問題点がある。
【００２８】
その他にも、従来の多様な形態のパッキングを有する密閉容器が存在するが、これら全ては容器本体と蓋を結着するロック部材の存在を離れて、これら全てに設けられるパッキングの構造的欠陥とその欠陥に伴う変形により容器本体内外部への空気出入が頻繁になされて、容器本体内部に収容された食品の流体が外部に流れ出る問題点がある。
【００２９】
（引用文献５：大韓民国特許庁登録実用新案公報に開示された登録第０２４８９５９号（公告日付：２００１．１０．１９）、引用文献６：大韓民国特許庁登録実用新案公報に開示された登録第０３０１８９７号（公告日付：２００３．０１．２９）
【発明の概要】
【発明が解決しようとする課題】
【００３０】
したがって、本発明は前記のような従来の問題点を解決するために案出したものであって、ユーザが容器本体の両側壁に設けられた回動取っ手のみを上側に軽く持ち上げて回動させる挺子原理だけで蓋を容器本体から何の苦労もなく、揺れ無しで、易しくて簡便に開くことができるので、主婦と子供らも容易に蓋を開けることができる密閉容器を提供することにある。
【００３１】
本発明の他の目的は、容器本体と蓋を各々一定の単位で積層包装時、多数個が積層された容器本体の上側に位置する多数個が積層された蓋の蓋延長部が容器本体の両側壁に設けられた回動取っ手全てを容器本体の両側壁に向けるように折り畳んで下向きになって、好ましくは、垂直状態が維持できるようにすることによって、容器本体と蓋の積層包装が容易で、包装ケースの容量が必要以上に増えることを防止し、積層包装の形状の整列状態維持が易しいようにした密閉容器を提供することにある。
【００３２】
本発明の更に他の目的は、密閉容器をなす容器本体と蓋のうちから選択されたいずれか１つにロック部材設置有無に関係なしで蓋の内壁に係止段に向ける端部が一定の高さに湾曲突出形と湾曲くさび形のうちから選択されたいずれか１つの形状に形成された突段を有する閉ループ型パッキング部材を軟質樹脂（シリコン）で形成してポリプロピレン（ＰＰ）材質で形成された蓋の内壁に二重射出（インサート射出）するものであって、パッキング部材が容器本体内壁との気密接触できるようにして密閉容器内・外部への空気出入を効
果的に遮断すると共に、パッキング部材の端部と容器本体の内壁との気密接触面を少なくすることによって、少ない力でも容器本体の揺れ無しで蓋を容易に開けることができるので、容器本体内部に収容された食品の流体が外部に流れ出ないようにした密閉容器を提供することにある。
【課題を解決するための手段】
【００３３】
前記の目的は、本発明によって、上部に開口が形成された容器本体と、前記容器本体の前記開口を開閉する蓋と、前記容器本体と前記蓋のうちのいずれか１つと、ヒンジで連結された回動取っ手を備えた密閉容器において、内壁の上部内壁面に沿って形成された係止段、前記内壁の上部で外側に延びて、延びた部分で下向きにするように形成されて、内部に凹溝を形成するフランジを備える前記容器本体；前記フランジに連結され、開閉板と段差部を有し、上下に回動可能な前記回動取っ手；及び内壁の内壁面に沿って形成された係止突起、前記内壁周りから外側に延長して前記フランジの上部で前記フランジに下向き結合される下向きに折り曲げられたフランジ、前記フランジに形成された蓋延長部を有する前記蓋；を含んで構成され、前記蓋延長部は前記蓋が前記容器本体に結合された状態で、または前記蓋が前記容器本体に結合された状態で、前記回動取っ手が上方に回動する時、前記開閉板と前記段差部に接触し、前記蓋が前記容器本体に結合された状態で、挺子原理を用いて前記回動取っ手を上方に回動させるだけで前記開閉板が前記蓋延長部を持ち上げることと共に、前記段差部は前記段差部に接触した前記蓋延長部が外側に向けて広がることを防止して前記係止突起が前記係止段から外れるようにすることによって、前記蓋が前記容器本体から開くことができるようにした構成をする。
【００３４】
前記段差部は前記開閉板の上端下部から外側に向けて延びるように形成されることが好ましい。
【００３５】
前記係止段と前記係止突起は閉ループ形状に形成されることがより好ましい。
【００３６】
前記回動取っ手はフィルムヒンジを通じて前記フランジに回動可能に連結され、前記フランジと前記回動取っ手との間に前記フランジの一部分から外側に延長される延長段が形成されることが好ましい。
【００３７】
前記回動取っ手は前記延長段に連結されたフィルムヒンジを通じて前記フランジに回動可能に連結されることがよい。
【００３８】
前記係止突起は、前記蓋の前記内壁面で前記係止段に向けるように突出するように形成された突出部を有する閉ループ形状の軟質樹脂のパッキング部材を形成し、かつ前記パッキング部材を前記パッキング部材と異種材質で形成された前記蓋の前記内壁面に二重射出（インサート射出）を通じて固着させて前記突出部が前記係止段の直下部にかかることができるようにすることが好ましい。
【００３９】
前記突出部は彎曲突出形または湾曲突出したくさび形の形状に形成されることが良い。
【００４０】
前記軟質樹脂はシリコンのものが好ましい。
【発明の効果】
【００４１】
以上のような本発明は、容器本体の両側壁に設けられた回動取っ手を上側に持ち上げて回動させる挺子原理だけで蓋を容器本体から何の苦労もなく、易しくて簡便に開けることができるので、蓋を開けるための弱い開け力が加えられるので、容器本体が揺れが発生しないので、容器本体から食品または汁などが跳ね上がって流れ出ることを予め防止する利点と共に、本発明が適用された密閉容器のサイズに関わらず、老弱者及び子供らも何の苦
労もなく、揺れ無しで、易しくて簡便に蓋を開けることができる効果がある。
【００４２】
そして、本発明は容器本体と蓋を各々一定の単位で積層包装時、多数個が積層された容器本体の上側に位置する多数個が積層された蓋の蓋延長部が容器本体の両側壁に設けられた回動取っ手全てを容器本体の両側壁に向けて下向きになって、好ましくは、垂直状態が維持されるように折り畳まれるので、容器本体と蓋の多数個の積層包装が容易であるので、包装ケースの容量が必要以上に増えることを防止する利点と共に、積層包装形状の整列状態の維持が容易であるので、製品の信頼を高めることができる効果がある。
【００４３】
また、本発明は密閉容器をなす容器本体と蓋のうちから選択されたいずれか１つにロック部材設置有無に関わらず、蓋の内壁に係止段に向ける端部が一定の高さに湾曲突出形と湾曲くさび形のうちから選択されたいずれか１つの形状に形成された突段を有する閉ループ型パッキング部材を軟質樹脂（シリコン）で形成してポリプロピレン（ＰＰ）材質で形成された蓋の内壁に二重射出（インサート射出）するものであって、パッキング部材が容器本体内壁との気密接触できるので、密閉容器内・外部への空気出入を効果的に遮断した利点と共に、パッキング部材の端部と容器本体の内壁との気密接触面を少なくすることによって、少ない力でも容器本体の揺れ無しで蓋を容易に開けることができるので、容器本体内部に収容された食品の流体が外部に流れ出ない効果が提供される。
【図面の簡単な説明】
【００４４】
【図１】本発明に従う密閉容器の外観を示す斜視図である。
【図２】本発明に従う容器本体と蓋が結合された状態の要部抜粋拡大断面図である。
【図３】図２に従う回動取っ手を持ち上げて容器本体から蓋が開いた状態を示す断面図である。
【図４ａ】本発明に従う容器本体と蓋を多数個積層して単位包装した状態の例を示す参考図である。
【図４ｂ】本発明に従う容器本体と蓋を多数個積層して単位包装した状態の例を示す参考図である。
【図５】従来のＡタイプ密閉容器をなして、ロック部材がある容器本体と蓋の気密構造を示す抜粋断面図である。
【図６】従来のＢタイプ気密容器をなして、ロック部材がある容器本体と蓋の気密構造を示す抜粋断面図である。
【図７】従来のＣタイプ密閉容器をなして、ロック部材がない容器本体と蓋の気密構造を示す抜粋断面図である。
【図８】従来のＤタイプ密閉容器をなして、ロック部材がない容器本体と蓋の気密構造を示す抜粋断面図である。
【図９】従来のＥタイプ密閉容器をなして、ロック部材がない容器本体と蓋の気密構造を示す抜粋断面図である。
【図１０ａ】本発明に従う蓋にパッキング部材を二重射出（インサート射出）した状態を示す抜粋断面図である。
【図１０ｂ】回動取っ手を上側に向けて回動させる状態を一点鎖線で示す図である。
【発明を実施するための形態】
【００４５】
以下、添付した図面を参考にして本発明に対して詳細に説明する。
【００４６】
図１は本発明に従う密閉容器の外観を示す斜視図であり、図２は本発明に従う容器本体と蓋が結合された状態の要部抜粋拡大断面図であり、図３は図２に従う回動取っ手を持ち上げて容器本体から蓋が開いた状態を示す断面図である。
【００４７】
これら図面から見ることができるように、本発明に従う密閉容器１０は、容器本体２０
と、容器本体２０の開口２１を開閉する蓋３０を備えている。ここでの前記容器本体２０及び蓋３０は弾性を有する合成樹脂（ポリプロピレン（ＰＰ））で製造され、その形状は、円形、四角形を含む多角形などに多様に形成できる。
【００４８】
本発明に従う容器本体２０の周り方向に従う外壁には、内側に凹溝２２を有するフランジ２３が形成されており、開口２１の内壁面２０ｂには係止段２４が形成されている。そして、蓋３０の下方に曲がっているフランジ３０ａ内に周り方向に沿って凹溝３１が形成されており、凹溝３１をなす内壁３１ｂの内壁面３１ａには前記係止段２４に係止される係止突起３２が形成されることによって、蓋３０と容器本体２０は相互結合された状態でロック（lock）状態が維持される。
【００４９】
一方、本発明に従う容器本体２０のフランジ２３の両側の各々の下端部には下端部から外側水平方向に向けて一定の長さに延長形成された延長段２５が形成されており、延長段２５には薄型のフィルムヒンジ２６が連結されており、フィルムヒンジ２６には一定の長さを有する開閉板２７が連結されており、開閉板２７の下端部から外側に向けては一定の長さの段差部２８が形成されてユーザにより上下回動する回動取っ手２９が形成されている。
【００５０】
本発明に従う蓋３０の外周壁周り方向には外周壁から下向き延長させた蓋延長部３３が形成されており、したがって、容器本体２０と蓋３０が結合されてロック（lock）が維持されている状態では、好ましくは、蓋延長部３３の内壁は前記開閉板２７の外壁に接触し、蓋延長部３３の下端部は段差部２８と近く位置するか、または接触（図４ｂ参照）する。即ち、蓋延長部３３は前記蓋３０が前記容器本体２０に結合された状態で、または前記蓋３０が前記容器本体２０に結合された状態で、前記回動取っ手２９が上方に回動する時、前記開閉板２７と前記段差部２８に接触する。ここで、前記段差部２８は回動取っ手２９が回動する時、蓋延長部３３が外側に広がることを阻止する役割をするので、段差部２８は本発明で図示したような形状のものが好ましいが、本発明に従う段差部２８の役割を遂行することができれば、小さい突起などに代替可能である。
【００５１】
以上のように構成された本発明に従う密閉容器１０は、容器本体２０と蓋３０が結合された状態では、図２から見ることができるように、係止段２４と係止突起３２により蓋３０は容器本体２０にロック（lock）状態が維持される。
【００５２】
このように、容器本体２０と蓋３０が結合された状態でユーザが蓋３０を容器本体２０から開ける時には、両手の親指を蓋３０の表面で対向するように接触させ、残りの指を使用して回動取っ手２９を軽く持ち上げて回動させれば、回動取っ手２９をなす開閉板２７が蓋延長部３３の下端部を持ち上げる挺子原理だけで、図３から見ることができるように、容器本体２０と蓋３０はロック（lock）状態が解除されながら蓋３０は容器本体２０から容易に開くようになる。
【００５３】
この際、回動取っ手２９に形成された段差部２８は開閉板２７が蓋延長部３３を持ち上げる時、蓋延長部３３が段差部２８に接触すれば、蓋延長部３３が外側に広がることを阻止することによって、開閉板２７により持ち上げられる蓋延長部３３の上向き移動を案内して蓋３０が迅速で容易に開くことができるようにするガイド役割をする。したがって、以上の動作で蓋３０が容易に開くことによって、容器本体２０は揺れなくて、容器本体２０の内部に収容された食品または食品汁などが跳ね上がって流れ出ないようになる。
【００５４】
一方、図４（ａ）及び図４（ｂ）は本発明に従う密閉容器を多数個積層して単位包装状態の例を示す参考図に関するものであって、本発明に従う密閉容器１０は容器本体２０と蓋３０を各々一定の単位で積層包装された状態を見ることができる。蓋延長部３３は、先
の実施例で言及した取っ手２９の段差部２８に初めから接触するように構成（図４（ｂ））されるか、または初めには接触しないように構成（図４（ａ））できる。
【００５５】
ここで、多数個が積層された容器本体２０の上側に位置する多数個の蓋３０のうち、下の部分に位置する蓋３０の蓋延長部３３が多数個積層された容器本体２０のうち、上側に位置する容器本体２０の開閉板２７の外壁に接触することによって回動取っ手２９を下向きさせた状態を維持させれば、その下の部分に積層された全ての容器本体２０に形成された回動取っ手２９は前記と同一に容器本体２０の両側壁側に下向きになって、好ましくは、垂直状態を維持するように折り畳まれるので、積層包装が容易であるので、包装ケースの容量が必要以上に増えることを防止し、併せて、積層包装の形状の整列状態維持が容易である。
【００５６】
前述したように、本発明に従う密閉容器は、容器本体の両側壁に設けられた回動取っ手のみを上側に軽く持ち上げて回動させる挺子原理だけで老弱者及び子供も蓋を何の苦労もなく、揺れ無しで、易しくて簡便に開けることができるので、容器本体から食品または食品汁が跳ね上がって流れ出ることを予め防止することができ、容器本体と蓋を各々一定の単位で積層包装時、単位積層された容器本体と蓋の包装が容易で、包装ケースの容量が必要以上に増えることを防止して、積層包装の形状の整列状態維持が容易である。
【００５７】
一方、図１０（ａ）は本発明に従う蓋にパッキング部材を二重射出（インサート射出）した状態を示す抜粋断面図であり、図１０（ｂ）は回動取っ手を上側に向けて回動させる状態を一点鎖線で示した図である。
【００５８】
前記図面から見ることができるように、本発明に従う密閉容器は、容器本体２０と容器本体の開口を開閉する蓋３０を備えている。ここで、容器本体２０と蓋３０は、ポリプロピレン（ＰＰ）材質で形成され、密閉容器の形状は円形または正四角形と直四角形などを含んで多様な形状に形成されることができ、特に蓋３０には容器本体２０と蓋３０を結着するロック（Lock）部材の有無に関わらず、本発明の特徴的要素は適用される。
【００５９】
本発明で、ポリプロピレン（ＰＰ）材質で形成された蓋３０の内壁面３１ａには容器本体２０の内壁面２０ｂで閉ループ形状に形成された係止段２４に向けてパッキング部材５０を軟質樹脂（シリコン）で形成して蓋３０と二重射出（インサート射出）して形成している。ここで、前記パッキング部材５０の端部には一定の高さの突出部５１が形成されているが、前記突出部５１は一側に向ける湾曲突出形に形成されることもでき、湾曲突出くさび形に形成できるので、本発明ではこれらのうちから選択されたいずれか１つの形状を選択することができる。
【００６０】
本発明に従うパッキング部材５０を蓋３０の内壁３１ｂの内壁面３１ａで二重射出（インサート射出）を通じて固着させて突出部５１が容器本体２０の内壁２０ａの内壁面２０ｂに形成された係止段２４の直下部に係止できるようにしている。ここで、容器本体２０の側壁を形成する部分のフランジ２３の有無に関わらず、本発明を適用することができる。
【００６１】
このように構成された本発明は、蓋３０を容器本体２０の開口を閉鎖すれば、パッキング部材５０をなす突出部５１が容器本体内壁面２０ｂに形成された係止段２４の直下部に係止されることによって、容器本体２０に蓋３０が閉じた状態を維持するようになり、ユーザが蓋３０を開けば突出部５１が一定の高さに湾曲突出形と湾曲突出くさび形のうちから選択されたいずれか１つに選択されているので、容器本体２０の内壁面２０ｂとの接触面積が小さいので、容器は小さな力でも難無く開く。
【００６２】
以上のような本発明は、密閉容器をなす容器本体と蓋のうちから選択されたいずれか１つにロック部材設置有無に関わらず、蓋の内壁に湾曲突出したくさび形突出部を有するパッキング部材を蓋と異種材質である軟質樹脂で形成して蓋の内壁と二重同時射出することによって、突出部が容器本体との接触面積を最小化することによって、小さな力でも難無く蓋を開けることができ、パッキング部材として気密容器の内・外部への空気出入を効果的に遮断すると共に、容器本体内部に収容された食品の流体が外部に流れ出ないようになる。
【００６３】
以上のように、本明細書及び請求範囲に使われた用語や単語は通常的で、辞典的な意味として解釈されてはならず、発明者は自分の発明を最も最善の方法で説明するために用語の概念を適切に定義することができるという原則に即して本発明の技術的思想に符合する意味と概念として解釈されなければならない。
【００６４】
したがって、本明細書に記載された実施例と図面に図示された構成は、本発明の好ましい実施形態に過ぎないものであり、本発明の技術的思想を全て代弁するものではないので、本出願時点において、これらを取り替えることができる多様な均等物と変形例がありえることを理解すべきである。
【図１】
2018193132.tif 000003
【図２】
2018193132.tif 000004
【図３】
2018193132.tif 000005
【図４ａ】
2018193132.tif 000006
【図４ｂ】
2018193132.tif 000007
【図５】
2018193132.tif 000008
【図６】
2018193132.tif 000009
【図７】
2018193132.tif 000010
【図８】
2018193132.tif 000011
【図９】
2018193132.tif 000012
【図１０ａ】
2018193132.tif 000013
【図１０ｂ】
2018193132.tif 000014